(57)【要約】      （修正有）【課題】コンタクトホール近傍の画素電極パターンによるモアレ縞を軽減し、この領域の液晶効率を向上して、表示品質を向上する表示装置を提供する。【解決手段】表示装置は、第１、第２基板とその間に位置する表示媒体とを備え、第１基板は、画素スイッチと画素スイッチに電気的に接続され、且つ、第１内縁５１１を有する第１指部５１、第１外縁５２２及び第２内縁５２１を有する第２指部５２、画素スイッチに電気的に接続されるコンタクト部５３、第３内縁５４１を有し、且つ第１指部とコンタクト部とを接続する第１屈折部５４、第２外縁５５２及び第４内縁５５１を有し、且つ第２指部とコンタクト部とを接続する第２屈折部５５、を備え、第１内縁の延長線と第３内縁との間にある第１夾角θ１が第１外縁の延長線と第２外縁との間にある第２夾角θ２よりも小さい画素電極とを有する。【選択図】図５
0003199246.tif 000002
【実用新案登録請求の範囲】
【請求項１】
表示装置であって、
画素スイッチと画素電極とを有する第１基板と、
第２基板と、
前記第１基板と前記第２基板との間に位置する表示媒体と、
を備え、
前記画素電極は、前記画素スイッチに電気的に接続され、且つ、
第１内縁を有する第１指部と、
第１外縁及び前記第１内縁と前記第１外縁との間に位置する第２内縁を有する第２指部と、
コンタクトホールによって前記画素スイッチに電気的に接続されるコンタクト部と、
第３内縁を有し、前記第１指部と前記コンタクト部との間に位置し、且つ、前記第１指部と前記コンタクト部とを接続する第１屈折部と、
第２外縁及び前記第３内縁と前記第２外縁との間に位置する第４内縁を有し、前記第２指部と前記コンタクト部との間に位置し、且つ、前記第２指部と前記コンタクト部とを接続する第２屈折部と、
を備え、
前記第１内縁の延長線と前記第３内縁との間に第１夾角を有し、前記第１外縁の延長線と前記第２外縁との間に前記第１夾角よりも大きい第２夾角を有する表示装置。
【請求項２】
前記第１基板は、絶縁層をさらに有し、
前記絶縁層は、前記画素スイッチ上に設けられ、且つ、前記画素スイッチを部分的に露出させるように前記コンタクトホールを有し、前記コンタクト部が前記画素スイッチと電気的に接続されるように前記コンタクトホールに設けられている請求項１に記載の表示装置。
【請求項３】
前記第２指部がゲートラインの延長方向に実質に平行な第１方向に第１幅を有し、前記第２屈折部が前記第１方向に前記第１幅よりも小さい第２幅を有する請求項１に記載の表示装置。
【請求項４】
前記第３内縁と前記第４内縁との間に屈折部隙間があり、前記第２屈折部がゲートラインの延長方向に実質に垂直な第２方向に第１長さを有し、前記屈折部隙間が前記第２方向に前記第１長さに実質に等しい第２長さを有する請求項１に記載の表示装置。
【請求項５】
前記第１内縁と前記第２内縁との間に指部隙間があり、前記第３内縁と前記第４内縁との間に屈折部隙間があり、前記指部隙間がゲートラインの延長方向に実質に平行な第１方向に第３幅を有し、前記屈折部隙間が前記第１方向に前記第３幅よりも大きい第４幅を有する請求項１に記載の表示装置。
【請求項６】
前記第１夾角と前記第２夾角との差分が１〜１０度にある請求項１に記載の表示装置。
【請求項７】
前記第１指部が前記第１内縁に対向する側に第３外縁を有し、前記第１〜第３外縁がゲートラインの延長方向に実質に平行な第１方向に第１距離を有し、前記コンタクト部が前記第１方向に前記第１距離よりも大きい第５幅を有する請求項１に記載の表示装置。
【請求項８】
前記第１屈折部が前記第３内縁に対向する側に第４外縁を有し、前記第２〜第４外縁がゲートラインの延長方向に実質に平行な第１方向に第２距離を有し、前記コンタクト部が前記第１方向に前記第２距離よりも大きい第５幅を有する請求項１に記載の表示装置。
【請求項９】
前記第１指部が前記第１内縁に対向する側に第３外縁を有し、前記第１屈折部が前記第３内縁に対向する側に第４外縁を有し、前記第１〜第３外縁がゲートラインの延長方向に実質に平行な第１方向に第１距離を有し、前記第２〜第４外縁が前記第１方向に前記第１距離よりも小さい第２距離を有する請求項１に記載の表示装置。
【請求項１０】
表示装置であって、
画素スイッチと画素電極とを有する第１基板と、
第２基板と、
前記第１基板と前記第２基板との間に位置する表示媒体と、
を備え、
前記画素電極は、
前記画素スイッチに電気的に接続され、且つ、
第１指部と、
第２指部と、
コンタクトホールによって前記画素スイッチに電気的に接続されるコンタクト部と、
第３内縁を有し、前記第１指部と前記コンタクト部との間に位置し、且つ、前記第１指部と前記コンタクト部とを接続する第１屈折部と、
第２外縁及び前記第３内縁と前記第２外縁との間に位置する第４内縁を有し、前記第２指部と前記コンタクト部との間に位置し、且つ、前記第２指部と前記コンタクト部とを接続する第２屈折部と、
を備え、
前記第３内縁とゲートラインの延長方向に実質に平行な第１方向に平行な直線との間に第１鋭角があり、前記第２外縁と前記直線との間に前記第１鋭角よりも小さい第２鋭角がある表示装置。
【請求項１１】
前記第１基板は、さらに絶縁層を有し、
前記絶縁層は、前記画素スイッチ上に設けられ、且つ、一部の前記画素スイッチを露出させるように前記コンタクトホールを有し、前記コンタクト部が、前記画素スイッチと電気的に接続されるように前記コンタクトホールに設けられている請求項１０に記載の表示装置。
【請求項１２】
前記第２指部が前記第１方向に第１幅を有し、前記第２屈折部が前記第１方向に前記第１幅よりも小さい第２幅を有する請求項１０に記載の表示装置。
【請求項１３】
前記第３内縁と前記第４内縁との間に屈折部隙間があり、前記第２屈折部がゲートラインの延長方向に実質に垂直な第２方向に第１長さを有し、前記屈折部隙間が前記第２方向に前記第１長さに実質に等しい第２長さを有する請求項１０に記載の表示装置。
【請求項１４】
前記第１指部が第１内縁を有し、前記第２指部が前記第１指部に近い第２内縁を有し、前記第１内縁と前記第２内縁との間に指部隙間があり、前記第３内縁と前記第４内縁との間に屈折部隙間があり、前記指部隙間が前記第１方向に第３幅を有し、前記屈折部隙間が前記第１方向に前記第３幅よりも大きい第４幅を有する請求項１０に記載の表示装置。
【請求項１５】
前記第１鋭角と前記第２鋭角との差分が１〜１０度にある請求項１０に記載の表示装置。
【請求項１６】
前記第１指部が第１内縁及び前記第１内縁に対向する第３外縁を有し、前記第２指部が前記第１内縁に隣接する第２内縁及び前記第２内縁に対向する第１外縁を有し、前記第１〜第３外縁がゲートラインの延長方向に実質に平行な前記第１方向に第１距離を有し、前記コンタクト部が前記第１方向に前記第１距離よりも大きい第５幅を有する請求項１０に記載の表示装置。
【請求項１７】
前記第１屈折部が前記第３内縁に対向する側に第４外縁を有し、前記第２〜第４外縁がゲートラインの延長方向に実質に平行な第１方向に第２距離を有し、前記コンタクト部が前記第１方向に前記第２距離よりも大きい第５幅を有する請求項１０に記載の表示装置。
【請求項１８】
前記第１指部が第１内縁及び前記第１内縁に対向する第３外縁を有し、前記第２指部が前記第１内縁に隣接する第２内縁及び前記第２内縁に対向する第１外縁を有し、前記第１屈折部が前記第３内縁に対向する側に第４外縁を有し、前記第１〜第３外縁が前記第１方向に第１距離を有し、前記第２〜第４外縁が前記第１方向に前記第１距離よりも小さい第２距離を有する請求項１０に記載の表示装置。
【考案の詳細な説明】
【技術分野】
【０００１】
本考案は、表示装置に係り、特に、コンタクトホールの近傍の画素電極パターンをデザインすることによって液晶の効率を向上する表示装置に係る。
【背景技術】
【０００２】
ディスプレイ技術の進歩につれて、すべての機器が小体積・薄い厚さ・軽量化への傾向があり、このため、現在、市場の主流であるディスプレイ装置は、従来の陰極線管から液晶表示装置になっている。特に、液晶表示装置は、かなりの分野に応用でき、日常生活で使われる携帯電話、ノート型パソコン、ビデオカメラ、カメラ、音楽プレーヤー、ナビゲイション装置、テレビなどの表示装置のほとんどに、液晶表示パネルが用いられている。
【０００３】
今よく見られる液晶表示装置を挙げ、主に、両電極の間に液晶層が挟められ、液晶パネルの下に設置されるバックライトモジュールからの光が液晶層を透過・非透過させるように、電圧によって液晶層の間の液晶分子の傾きを制御して表示の目的を達成する。また、画素の定義によって、異なる色を表現する目的を達成する。
【０００４】
たとえば、近年の液晶表示装置の開発技術が徐々に成熟しても、各メーカーは、消費者の表示品質に対する要求を満足できるように、より高い表示品質を有する表示装置の開発に力を入れ、このため、現在、表示品質を向上できる表示装置を開発して、消費者により安定の表示効果を持たせる必要もある。
【考案の概要】
【考案が解決しようとする課題】
【０００５】
本考案の主な目的は、コンタクトホールの近傍の画素電極パターンをデザインすることによって、その上方に対応するモアレ縞を軽減し、この領域の液晶効率を向上して、表示装置全体の表示品質を向上することができる表示装置を提供することにある。
【課題を解決するための手段】
【０００６】
このため、本考案の一実施態様に係る表示装置は、画素スイッチと、前記画素スイッチに電気的に接続され、且つ、第１内縁を有する第１指部、第１外縁及び前記第１内縁と前記第１外縁との間に位置する第２内縁を有する第２指部、コンタクトホールによって前記画素スイッチに電気的に接続されるコンタクト部、第３内縁を有し、前記第１指部と前記コンタクト部との間に位置し、且つ、前記第１指部と前記コンタクト部とを接続する第１屈折部、第２外縁及び前記第３内縁と前記第２外縁との間に位置する第４内縁を有し、前記第２指部と前記コンタクト部との間に位置し、且つ、前記第２指部と前記コンタクト部とを接続する第２屈折部、を備え、前記第１内縁の延長線と前記第３内縁の間に第１夾角を有し、前記第１外縁の延長線と前記第２外縁の間に前記第１夾角よりも大きい第２夾角を有する画素電極と、を有する第１基板と、第２基板と、前記第１基板と前記第２基板との間に位置する表示媒体と、を備える。
【０００７】
この実施態様に係る表示装置において、前記第１基板は、前記画素スイッチ上に設けられ、且つ、一部の前記画素スイッチを露出させるように前記コンタクトホールを有し、且つ、前記コンタクト部が更に前記画素スイッチに電気的に接続されるように前記コンタクトホールに設けられている絶縁層をさらに備える。
【０００８】
この実施態様に係る表示装置において、前記第２指部がゲートラインの延長方向に実質に平行な第１方向に第１幅を有し、前記第２屈折部が前記第１方向に前記第１幅よりも小さい第２幅を有する。
【０００９】
この実施態様に係る表示装置において、前記第３内縁と前記第４内縁との間に屈折部隙間があり、前記第２屈折部がゲートラインの延長方向に実質に垂直な第２方向に第１長さを有し、前記屈折部隙間が前記第２方向に前記第１長さに実質に等しい第２長さを有する。
【００１０】
この実施態様に係る表示装置において、前記第１内縁と前記第２内縁との間に指部隙間があり、前記第３内縁と前記第４内縁との間に屈折部隙間があり、前記指部隙間がゲートラインの延長方向に実質に平行な第１方向に第３幅を有し、前記屈折部隙間が前記第１方向に前記第３幅よりも大きい第４幅を有する。
【００１１】
この実施態様に係る表示装置において、前記第１夾角と前記第２夾角との差分が１〜１０度にある。
【００１２】
この実施態様に係る表示装置において、前記第１指部が前記第１内縁に対向する側に第３外縁を有し、前記第１〜第３外縁がゲートラインの延長方向に実質に平行な前記第１方向に第１距離を有し、前記コンタクト部が前記第１方向に前記第１距離よりも大きい第５幅を有する。
【００１３】
この実施態様に係る表示装置において、前記第１屈折部が前記第３内縁に対向する側に第４外縁を有し、前記第２〜第４外縁がゲートラインの延長方向に実質に平行な第１方向に第２距離を有し、前記コンタクト部が前記第１方向に前記第２距離よりも大きい第５幅を有する。
【００１４】
この実施態様に係る表示装置において、前記第１指部が前記第１内縁に対向する側に第３外縁を有し、前記第１屈折部が前記第３内縁に対向する側に第４外縁を有し、前記第１〜第３外縁がゲートラインの延長方向に実質に平行な第１方向に第１距離を有し、前記第２〜第４外縁が前記第１方向に前記第１距離よりも小さい第２距離を有する。
【００１５】
本考案の他の実施態様に係る表示装置は、画素スイッチと、前記画素スイッチに電気的に接続され、且つ、第１指部、第２指部、コンタクトホールによって前記画素スイッチに電気的に接続されるコンタクト部、第３内縁を有し、前記第１指部と前記コンタクト部との間に位置し、且つ、前記第１指部と前記コンタクト部とを接続する第１屈折部、第２外縁及び前記第３内縁と前記第２外縁との間に位置する第４内縁を有し、前記第２指部と前記コンタクト部との間に位置し、且つ、前記第２指部と前記コンタクト部とを接続する第２屈折部、を備え、前記第３内縁とゲートラインの延長方向に実質に平行な第１方向に平行な直線との間に第１鋭角があり、前記第２外縁と前記直線との間に前記第１鋭角よりも小さい第２鋭角がある画素電極と、を有する第１基板と、第２基板と、前記第１基板と前記第２基板との間に位置する表示媒体と、を備える。
【００１６】
この実施態様に係る表示装置において、前記第１基板は、前記画素スイッチ上に設けられ、且つ、一部の前記画素スイッチを露出させるように前記コンタクトホールを有し、且つ、前記コンタクト部が更に前記画素スイッチに電気的に接続されるように前記コンタクトホールに設けられている絶縁層をさらに備える。
【００１７】
この実施態様に係る表示装置において、前記第２指部が前記第１方向に第１幅を有し、前記第２屈折部が前記第１方向に前記第１幅よりも小さい第２幅を有する。
【００１８】
この実施態様に係る表示装置において、前記第３内縁と前記第４内縁との間に屈折部隙間があり、前記第２屈折部がゲートラインの延長方向に実質に垂直な第２方向に第１長さを有し、前記屈折部隙間が前記第２方向に前記第１長さに実質に等しい第２長さを有する。
【００１９】
この実施態様に係る表示装置において、前記第１指部が第１内縁を有し、前記第２指部が前記第１指部に近い第２内縁を有し、前記第１内縁と前記第２内縁との間に指部隙間があり、前記第３内縁と前記第４内縁との間に屈折部隙間があり、前記指部隙間が前記第１方向に第３幅を有し、前記屈折部隙間が前記第１方向に前記第３幅よりも大きい第４幅を有する。
【００２０】
この実施態様に係る表示装置において、前記第１鋭角と前記第２鋭角との差分が１〜１０度にある。
【００２１】
この実施態様に係る表示装置において、前記第１指部が第１内縁及び前記第１内縁に対向する第３外縁を有し、前記第２指部が前記第１内縁に隣接する第２内縁及び前記第２内縁に対向する第１外縁を有し、前記第１〜第３外縁がゲートラインの延長方向に実質に平行な前記第１方向に第１距離を有し、前記コンタクト部が前記第１方向に前記第１距離よりも大きい第５幅を有する。
【００２２】
この実施態様に係る表示装置において、前記第１屈折部が前記第３内縁に対向する側に第４外縁を有し、前記第２〜第４外縁がゲートラインの延長方向に実質に平行な第１方向に第２距離を有し、前記コンタクト部が前記第１方向に前記第２距離よりも大きい第５幅を有する。
【００２３】
この実施態様に係る表示装置において、前記第１指部が第１内縁及び前記第１内縁に対向する第３外縁を有し、前記第２指部が前記第１内縁に隣接する第２内縁及び前記第２内縁に対向する第１外縁を有し、前記第１屈折部が前記第３内縁に対向する側に第４外縁を有し、前記第１〜第３外縁が前記第１方向に第１距離を有し、前記第２〜第４外縁が前記第１方向に前記第１距離よりも小さい第２距離を有する。
【考案の効果】
【００２４】
本考案の表示装置において、第１指部の第１内縁の延長線と第１屈折部の第３内縁との間の第１夾角が第２指部の第１外縁の延長線と第２屈折部の第２外縁との間の第２夾角よりも小さいように、及び／または、第１屈折部の第３内縁とゲートラインの延長方向に実質に平行な直線との第１鋭角が第２屈折部の第２外縁と前記直線との第２鋭角よりも大きいようにデザインすることによって、コンタクトホールの近傍の画素電極パターンの調整を達成することができる。同時に、第２指部のゲートラインの延長線に実質に平行な方向における第１幅が前記第２屈折部の前記方向における第２幅よりも大きいように、及び／または、第１屈折部と第２屈折部との間の隙間が第１指部と第２指部との間の隙間よりも大きいようにデザインすることによって、コンタクトホールの近傍の画素電極の線幅の短縮を達成することもできる。これによって、本考案の表示装置において、コンタクトホールの近傍の画素電極パターンをデザインすることによって、この領域の液晶の効率を向上して、表示装置全体の表示品質を向上することができる。
【図面の簡単な説明】
【００２５】
【図１】本考案の１つの好適な実施例に係る表示装置の断面模式図である。
【図２】本考案の１つの好適な実施例に係る表示パネルの断面模式図である。
【図３】本考案の１つの好適な実施例に係る第１基板の上面図である。
【図４】本考案の１つの好適な実施例に係る第１基板の断面模式図である。
【図５】本考案の１つの好適な実施例に係る画素電極の部分模式図である。
【図６】本考案の１つの好適な実施例に係る画素電極の部分模式図である。
【図７】本考案の１つの好適な実施例に係る表示パネルの動作電圧と液晶効率との関係図である。
【図８】本考案の１つの好適な実施例に係る表示パネルの点灯状態でのシミュレーション結果図である。
【考案を実施するための形態】
【００２６】
以下、特定の具体的な実施例によって本考案の実施形態を説明する。業者は本説明書に開示した内容より、本考案の他の利点や効果を分かりやすい。本考案は、他の異なる具体的な実施例によって実行・応用されてもよい。本説明書における各細部について、異なる観点と応用に対して、本考案の精神から逸脱しない限り、多種の飾りや変更をしてもよい。
【００２７】
なお、説明書や請求項に用いられた序数、例えば、「第１」、「第２」、「第３」などの用語は、請求項の素子を修飾するためのものだけであり、そのものは、前記素子が前のいずれの序数もあることや、ある素子と他の素子の順序又は製造方法の順序を意味・代表しない。これらの序数は、ある名前を有する１つの素子と同一の名前を有する他の素子とをはっきり区分するために用いられるものだけである。
【００２８】
図１は本考案の１つの好適な実施例に係る表示装置の断面模式図である。ここで、本実施例の表示装置は、その上に第１偏光板２、表示パネル３及び第２偏光板４が順に設置されているバックライトモジュール１を備える。ここで、本実施例の表示パネル３は、第１基板３１と、第２基板３３と、第１基板３１と第２基板３３との間に位置する表示媒体３２とを備える。本実施例において、フィルムトランジスタ基板として、第１基板３１は画素スイッチであるフィルムトランジスタユニット（図示しない）を備え、カラーフィルター基板として、第２基板３３はカラーフィルター層（図示しない）を備える。しかしながら、本考案の他の実施例において、カラーフィルター層（図示しない）が第１基板３１に備えられてもよく、この際、第１基板３１は集積化カラーフィルターアレーのフィルムトランジスタ基板（ｃｏｌｏｒ  ｆｉｌｔｅｒ  ｏｎ  ａｒｒａｙ，  ＣＯＡ）である。なお、本実施例において、表示媒体３２は本技術分野における既知の液晶層である。
【００２９】
図２は本考案の１つの好適な実施例による表示パネルの断面模式図である。ここで、本実施例の第１基板３１は、その上にフィルムトランジスタ層３１２、共通電極層３１３、第１絶縁層３１４、画素電極層３１５及び第１配向層３１６が順に設置されている基板３１１を備える。ここで、フィルムトランジスタ層３１２は、複数の画素スイッチであるフィルムトランジスタユニット（図示しない）を備え、画素電極層３１５は複数の画素電極（図示しない）を備える。なお、本実施例の第２基板３３は、その上にカラーフィルター層３３２及び第２配向層３３３が順に設置されている他の基板３３１を備える。なお、本実施例の表示媒体３２は第１配向層３１６と第２配向層３３３との間に設けられている。ここで、基板３１１、３３１は、例えばガラス、プラスチック、フレキシブル材質などの本技術分野によく用いられる基材材料で作製されてよい。共通電極層３１３及び画素電極層３１５は、本技術分野によく用いられる透明導電電極材料（例えは、ＩＴＯ、ＩＺＯまたはＩＴＺＯ）で作製されてよい。
【００３０】
第１絶縁層３１４は、本技術分野によく用いられる絶縁層材料（例えば、酸化物、窒化物または酸窒化物）で作製されてもよい。第１配向層３１６及び第２配向層３３３は、本技術分野によく用いられる配向層材料（例えば、ポリイミド（ＰＩ））で作製されてもよく、且つ、ブラッシュ配向や光配向プロセスによって配向されてよい。
【００３１】
次に、図１及び図２における第１基板３１上の画素電極の構成を詳述する。
【００３２】
図３及び図４はそれぞれ本考案の１つの好適な実施例に係る第１基板の上面図および断面模式図である。図３及び図４を共に参照し、本実施例の第１基板は、実質に平行に設置される複数のゲートライン３１２１と、実質に平行に設置され、それぞれゲートライン３１２１と交差する複数のデータ線３１２２と、ゲートライン３１２１及びデータ線３１２２にそれぞれ電気的に接続される複数の画素スイッチ３１２３と、ゲートライン３１２１及びデータ線３１２２によって定義された複数の画素領域にそれぞれ設けられ、画素スイッチ３１２３に電気的に接続される複数の画素電極３１５１と、を備える。なお、第１基板は、フィルムトランジスタ層３１２の画素スイッチ３１２３に設けられ、且つ、一部の画素スイッチ３１２３、即ち、画素スイッチのドレイン３１２３ｄを露出させるようにコンタクトホール３１２４ａを有する第２絶縁層３１２４をさらに備える。
【００３３】
液晶の効率の向上および表示パネルの点灯状態でのモアレ縞の軽減のため、ここで、特に、特別な外形を有するように本実施例の画素電極をデザインする。次に、本実施例の表示パネルにおいてコンタクトホールの近傍に近接するように画素電極をデザインすることを詳述する。
【００３４】
図５及び図６はそれぞれ本考案の１つの好適な実施例に係る画素電極の部分模式図である。ここで、図５及び図６は、本願の画素電極の特徴を詳述するために、素子符号の違いがあるだけの同一の図である。図５及び図６に示すように、本実施例の画素電極は、第１内縁５１１を有し、且つ、第１内縁５１１に対向する側に第３外縁５１２を有する第１指部５１と、第２内縁５２１を有し、且つ、第２内縁５２１に対向する側に第１外縁５２２を有し、第２内縁５２１が第１内縁５１１と第１外縁５２２との間に位置する第２指部５２と、コンタクトホール３１２４ａによって画素スイッチ３１２３（図４に示すように）に電気的に接続され、且つ、画素スイッチ３１２３のドレイン３１２３ｄ（図４に示すように）に電気的に接続されるようにコンタクトホール３１２４ａにさらに設けられるコンタクト部５３と、第１指部５１とコンタクト部５３との間に位置し、第１指部５１とコンタクト部５３とを接続すると共に、第３内縁５４１を有し、且つ、第３内縁５４１に対向する側に第４外縁５４２を有する第１屈折部５４と、第２指部５２とコンタクト部５３との間に位置し、第２指部５２とコンタクト部５３とを接続すると共に、第４内縁５５１を有し、且つ、第４内縁５５１に対向する側に第２外縁５５２を有し、前記第４内縁５５１が第３内縁５４１と第２外縁５５２との間に位置する第２屈折部５５とを備える。
【００３５】
図５に示すように、本実施例の表示パネルの画素電極において、第１内縁５１１の延長線と第３内縁５４１との間に第１夾角θ１があり、第１外縁５２２の延長線と第２外縁５５２との間に第１夾角θ１よりも大きい第２夾角θ２がある。なお、図６に示すように、第３内縁５４１とゲートライン３１２１（如図３所示）の延長方向に実質に平行な第１方向Ｘに平行な直線との間に第１鋭角θａがあり、第２外縁５５２と前記直線との間に第１鋭角θａよりも小さい第２鋭角θｂがある。第１夾角θ１が第２夾角θ２よりも小さいように、又は／及び、第１鋭角θａが第２鋭角θｂよりも大きいようにデザインすることによって、第２外縁５５２がさらに第３内縁５４１に近接させて、表示パネルの点灯状態でのモアレ縞がさらにコンタクト部５３の領域に近接させることができ、この領域の液晶の効率を向上できる。ここで、第１夾角θ１と第２夾角θ２との差分が１〜１０度にあってよく、第１鋭角θａと第２鋭角θｂとの差分が１〜１０度にあってよい。ここで、「ゲートラインの延長方向に実質に平行な第１方向」とは、第１方向とゲートラインの延長方向との間の夾角は０〜５度であり、最も好ましくのは０度である。「第１鋭角」及び「第２鋭角」とは、０度〜９０度にある夾角である。
【００３６】
なお、図５に示すように、本実施例の表示パネルの画素電極において、第２指部５２が第１方向Ｘに第１幅Ｗ１を有し、第２屈折部５５が第１方向Ｘに第１幅Ｗ１よりも小さい第２幅Ｗ２を有する。同様に、第１幅Ｗ１が第２幅Ｗ２よりも大きいようにデザインすることによって、コンタクト部５３に近接する第２屈折部５５の幅を短縮でき、表示パネルの点灯状態でのモアレ縞をさらに軽減することができる。
【００３７】
なお、図５に示すように、本実施例の表示パネルの画素電極において、第１内縁５１１と第２内縁５２１との間には指部隙間５７があり、第３内縁５４１と第４内縁５５１との間には、指部隙間５７とコンタクト部５３との間に位置し、指部隙間５７とコンタクト部５３とを接続する屈折部隙間５６がある。ここで、第２屈折部５５が第２方向Ｙに第１長さＬ１を有し、屈折部隙間５６がゲートライン３１２１（図３に示すように）の延長方向に実質的に垂直な第２方向Ｙに、第１長さＬ１に実質的に等しい第２長さＬ２を有する。ここで、「ゲートラインの延長方向に実質的に垂直な第２方向」とは、第２方向とゲートラインの延長方向との間の夾角は８５〜９０度で、最も好ましくのは９０度である。なお、「第１長さに実質的に等しい第２長さ」とは、第１長さと第２長さとの間の違いは０〜５％である。
【００３８】
なお、図５に示すように、本実施例の表示パネルの画素電極において、指部隙間５７が第１方向Ｘに第３幅Ｗ３を有し、屈折部隙間５６が第１方向Ｘに第３幅Ｗ３よりも大きい第４幅Ｗ４を有する。同様に、第３幅Ｗ３が第４幅Ｗ４よりも小さいようにデザインすることによって、コンタクト部５３に近接する第２屈折部５５の幅を短縮でき、表示パネルの点灯状態でのモアレ縞をさらに軽減することができる。
【００３９】
図６に示すように、本実施例の表示パネルの画素電極において、第１外縁５２２〜第３外縁５１２が第１方向Ｘに第１距離Ｄ１を有し、コンタクト部５３が第１方向Ｘに第１距離Ｄ１よりも大きい第５幅Ｗ５を有する。なお、第２外縁５５２〜第４外縁５４２が第１方向Ｘに第５幅Ｗ５よりも小さい第２距離Ｄ２を有する。高画素密度の目的を達成するために、単一の画素の領域の大きさを減少する必要があるが、コンタクトホール３１２４ａを同期に縮小できないことが一般的である。このため、コンタクト部５３と第２屈折部５５間に近接して液晶の傾き方向の不規則によってモアレ縞が発生されることを回避するために、第１距離Ｄ１及び第２距離Ｄ２が第５幅Ｗ５よりも小さいようにそれぞれデザインして、表示パネルの点灯状態でのモアレ縞がさらにコンタクト部５３の隣の領域に近接させ、この領域の液晶の効率をさらに向上することができる。
【００４０】
なお、図６に示すように、本実施例の表示パネルの画素電極において、第１距離Ｄ１も第２距離Ｄ２よりも大きいようにデザインすることによって、コンタクト部５３に近接する第２屈折部５５の幅を短縮でき、表示パネルの点灯状態でのモアレ縞をさらに軽減することができる。
【００４１】
本考案の前記した実施例によって作製された表示パネルが確実に好適な液晶の効率を有することを検証するために、ここで、図２に示す表示パネルを試験して、図５に示す画素電極における第１夾角θ１と第２夾角θ２とが異なる差分を有する時の液晶の効率を比較する。ここで、「液晶の効率」とは、単位面積あたりの発光強度である。
【００４２】
図２に示す表示パネルへ電圧０〜８Ｖを印加した際、第１夾角θ１が第２夾角θ２に等しい（第１夾角θ１と第２夾角θ２との差分が０度である）、及び、第１夾角θ１が第２夾角θ２よりも小さく、且つ第１夾角θ１と第２夾角θ２との差分がそれぞれ２、３、４、５度である場合に、図５に示す領域の画素電極の液晶の効率が図７に示す。特に、第１夾角θ１と第２夾角θ２との差分が０度である時、図５に示す領域の画素電極の液晶の効率が０．０４８６４３％であり、第１夾角θ１と第２夾角θ２との差分が５度である時、図５に示す領域の画素電極の液晶の効率が０．０５１９２４％である。計算によれば、第１夾角θ１と第２夾角θ２との差分が０度である場合と比べ、第１夾角θ１と第２夾角θ２との差分が５度である時、液晶の効率の利得が６．７５％まで達した。この結果から、第２屈折部５５（図５に示すように）の幅を短縮して、第２夾角θ２よりも第１夾角θ１を小さくし、即ち、第２外縁５５２を第１屈折部５４へさらに近接させる時、この領域の液晶の効率を明らかに向上できることが分かった。
【００４３】
ここで、図５に示す一部の画素電極の点灯状態でのモアレ縞のパターンをさらにシミュレーションしたところ、図８に示すように、それは図２に示す表示パネルを試験して、図５に示す画素電極における第１夾角θ１が第２夾角θ２に等しい（第１夾角θ１と第２夾角θ２との差分が０度である）、及び、第１夾角θ１が第２夾角θ２よりも小さく、且つ第１夾角θ１と第２夾角θ２との差分が５度である点灯状態でのシミュレーション結果図である。
【００４４】
図８に示すように、第１夾角θ１が第２夾角θ２に等しい場合と比べ、第１夾角θ１が第２夾角θ２よりも小さく、且つ第１夾角θ１と第２夾角θ２との差分が５度である場合、ゲートライン３１２１（図３に示す）の延長方向に実質に平行な第１方向Ｘである同一の参照線において、点灯状態でのモアレ縞の幅を明らかに軽減（矢印に示すように）でき、そして、この領域の液晶分子の安定性を向上することができる。
【００４５】
前記したように、本実施例において、第１夾角が第２夾角よりも小さいようにデザインすることによって、第２屈折部の第２外縁がさらにその第４内縁および第１屈折部の第３内縁に近接させることができ、表示パネルの点灯状態でのモアレ縞の軽減に加え、モアレ縞がさらにコンタクト部の隣の領域に近接させ、この領域の液晶の効率を向上することができる。
【００４６】
本考案の前記した実施例において、「幅」、「距離」及び「長さ」とは、それぞれ両縁間の「最小幅」、「最短距離」及び「最短長さ」である。「角度」とは、両縁、その延長線、及び／又は参照線の間にある「最大角度」である。
【００４７】
本考案の前記した実施例において、画素電極が２つの指部および屈折部を有することを例として挙げたが、本考案の他の実施例において、同一の画素におけるフィルムトランジスタユニットから最も離れる指部および屈折部（図３を見れば、最も右側の指部および屈折部）が前記した特徴を有すれば、画素電極が３つ以上の指部および屈折部を有してよい。
【００４８】
なお、本考案の前記した実施例において、水平配向の表示パネルを例として挙げたが、本考案の他の実施例において、表示パネルが垂直配向の液晶表示パネルである場合、前記した特徴もある。
【００４９】
なお、本考案の前記した実施例によって作製された表示パネルは、タッチ表示装置として、本技術分野における既知のタッチパネルと組み合わせて用いられてもよい。同時に、本考案に前記した実施例によって作製された表示パネルやタッチ表示装置は、例えば、ディスプレイ、携帯電話、ノート型パソコン、ビデオカメラ、カメラ、音楽プレーヤー、ナビゲイション装置、テレビ等の、本技術分野における既知のいずれの表示モニターを必要とする電子装置にも適用されることができる。
【符号の説明】
【００５０】
１：バックライトモジュール
２：第１偏光板
３：表示パネル
３１：第１基板
３１１、３３１：基板
３１２：フィルムトランジスタ層
３１２１：ゲートライン
３１２２：データ線
３１２３：画素スイッチ
３１２３ｄ：ドレイン
３１２４：第２絶縁層
３１２４ａ：コンタクトホール
３１３：共通電極層
３１４：第１絶縁層
３１５：画素電極層
３１５１：画素電極
３１６：第１配向層
３２：表示媒体
３３：第２基板
３３２：カラーフィルター層
３３３：第２配向層
４：第２偏光板
５１：第１指部
５１１：第１内縁
５１２：第３外縁
５２：第２指部
５２１：第２内縁
５２２：第１外縁
５３：コンタクト部
５４：第１屈折部
５４１：第３内縁
５４２：第４外縁
５５：第２屈折部
５５１：第４内縁
５５２：第２外縁
５６：屈折部隙間
５７：指部隙間
Ｄ１：第１距離
Ｄ２：第２距離
Ｌ１：第１長さ
Ｌ２：第２長さ
Ｗ１：第１幅
Ｗ２：第２幅
Ｗ３：第３幅
Ｗ４：第４幅
Ｗ５：第５幅
Ｘ：第１方向
Ｙ：第２方向
θ１：第１夾角
θ２：第２夾角
θａ：第１鋭角
θｂ：第２鋭角
【図１】
0003199246.tif 000003
【図２】
0003199246.tif 000004
【図３】
0003199246.tif 000005
【図４】
0003199246.tif 000006
【図５】
0003199246.tif 000007
【図６】
0003199246.tif 000008
【図７】
0003199246.tif 000009
【図８】
0003199246.tif 000010